(57)【要約】【課題】フェンスの出入口に配置される変形の大きな扉を施・解錠できる電気錠を提供すること。【解決手段】フェンス１の開口部１ａに開閉自在に配置された建具が閉じられた時に該閉止部２ａを挟んで向き合う、建具部材とフェンス部材または１対の建具部材２，２において、一方の部材に可撓体３を介して先金４が取付けられるとともに、他方の部材に上記先金４が挿入・拘束される錠前６が取付けられ、該錠前６に設けられたソレノイド装置に通電された時に上記先金４の拘束が解除されることを特徴とする電気錠ユニット。【選択図】　　　　　図１
2004027653.tif 000002
【特許請求の範囲】
【請求項１】
フェンスの開口部に開閉自在に配置された建具が閉じられた時に該閉止部を挟んで向き合う、建具部材とフェンス部材または１対の建具部材において、一方の部材に可撓体を介して先金が取付けられるとともに、他方の部材に上記先金が挿入・拘束される錠前が取付けられ、該錠前に設けられたソレノイド装置に通電された時に上記先金の拘束が解除されることを特徴とする電気錠ユニット。
【請求項２】
フェンスの開口部に開閉自在に配置された建具が閉じられた時に該閉止部を挟んで向き合う、建具部材とフェンス部材または１対の建具部材において、
一方の部材に、部分的に縊れた円柱部を有する先金が可撓体を介して取付けられるとともに、他方の部材に、上記先金を拘束する錠前が取付けられ、
上記錠前は、上記円柱部を挿入可能なシリンダ部材と、上記シリンダ部材を軸線方向に摺動可能に支持するシリンダ挟持部材と、プランジャ型のソレノイド装置とを備え、
上記シリンダ挟持部材を上記シリンダ部材の軸線と交わる方向に貫通し、更に上記シリンダ部材が上記シリンダ挟持部材の最奥部まで摺動した位置の上記シリンダ部材にまで、ロッキングバー案内孔が穿設され、
上記ロッキングバー案内孔にはロッキングバーが摺動自在に挿入され、
上記ロッキングバーは、上記ソレノイド装置への通電時に上記シリンダ部材の軸線から離れる方向に、該ソレノイド装置の可動鉄心に連結されるとともに、上記シリンダ部材の軸線に向けてスプリングにより付勢されており、
上記シリンダ部材の外壁を軸線と交わる方向に貫通し、更に上記シリンダ部材が上記シリンダ挟持部材の最も手前に摺動した位置の上記シリンダ挟持部材にまで、ピン案内孔が穿設され、
上記ピン案内孔には奥から順にピンとボールが挿入されて上記シリンダ部材の軸線へ向けてスプリングにより付勢されており、
上記先金の円柱部が上記シリンダ部材に挿入されて該円柱部の縊れ部が上記ピン案内孔の位置に達した時、該縊れ部に上記ボールが進入し、該ボールと上記ピンとの接触面が上記シリンダ部材と上記シリンダ挟持部材との摺動面と一致することを特徴とする電気錠ユニット。
【請求項３】
上記ソレノイド装置の可動鉄心または上記ロッキングバーの位置を検出する手段が設けられたことを特徴とする請求項２記載の電気錠ユニット。
【請求項４】
上記シリンダ部材の摺動位置を検出する手段が設けられたことを特徴とする請求項２記載の電気錠ユニット。
【請求項５】
上記ソレノイド装置の可動鉄心と上記ロッキングバーとが、互いに逆方向に移動することを特徴とする請求項２記載の電気錠ユニット。
【請求項６】
上記先金が上記錠前に下方から挿入されることを特徴とする請求項１または請求項２記載の電気錠ユニット。
【請求項７】
上記可撓体が鎖であることを特徴とする請求項１または請求項２記載の電気錠ユニット。
【請求項８】
上記可撓体がワイヤロープであることを特徴とする請求項１または請求項２記載の電気錠ユニット。
【発明の詳細な説明】
【０００１】
【発明の属する技術分野】
本発明はフェンスの出入口に配置された扉等の建具を閉止状態に拘束し、あるいは解放する電気錠ユニットに関する。
【０００２】
【従来の技術】
例えば飛行場、波止場、電車車庫、屋外材料置場のような広い敷地を塀や柵等のフェンスで囲み、その一部に設けられた出入口（門）に扉等の建具を配置して、夜間等に人や車両の出入を規制しようとするとき、建具の剛性が小さくて変形しやすいことが多く、したがって建具と門枠との隙間、あるいは観音開きの場合は建具相互の隙間が大きく開くので、従来は鎖と南京錠を用いて、建具が開かれるのを防止していた。
【０００３】
【解決しようとする課題】
前記従来の南京錠と鎖との組合わせでは、遠隔操作による施錠・解錠や施解錠状態の確認・監視等ができなかった。また、そのような施解錠管理のために電気錠を取付けようとしても、前記のように建具と門枠との間、あるいは建具相互間の寸法が変化するので、寸法精度が厳しい従来の電気錠を使用することはできなかった。
【０００４】
【課題を解決するための手段および効果】
前記従来の課題を解決するために、請求項１記載の発明は、フェンスの開口部に開閉自在に配置された建具が閉じられた時に該閉止部を挟んで向き合う、建具部材とフェンス部材または１対の建具部材において、一方の部材に可撓体を介して先金が取付けられるとともに、他方の部材に上記先金が挿入・拘束される錠前が取付けられ、該錠前に設けられたソレノイド装置に通電された時に上記先金の拘束が解除されることを特徴とする電気錠ユニットである。
【０００５】
請求項１記載の発明は上記のとおり構成され、フェンスの開口部に配置された建具部材等の一方に可撓体を介して先金が取付けられるとともに、他方に上記先金が挿入・拘束される錠前が取付けられ、該錠前に設けられたソレノイド装置に通電された時に上記先金の拘束が解除されるので、建具が大きく変形する場合でも、確実に施錠することができ、また遠隔操作により施・解錠することができる。
【０００６】
次に請求項２記載の発明は、フェンスの開口部に開閉自在に配置された建具が閉じられた時に該閉止部を挟んで向き合う、建具部材とフェンス部材または１対の建具部材において、一方の部材に、部分的に縊れた円柱部を有する先金が可撓体を介して取付けられるとともに、他方の部材に、上記先金を拘束する錠前が取付けられ、上記錠前は、上記円柱部を挿入可能なシリンダ部材と、上記シリンダ部材を軸線方向に摺動可能に支持するシリンダ挟持部材と、プランジャ型のソレノイド装置とを備え、上記シリンダ挟持部材を上記シリンダ部材の軸線と交わる方向に貫通し、更に上記シリンダ部材が上記シリンダ挟持部材の最奥部まで摺動した位置の上記シリンダ部材にまで、ロッキングバー案内孔が穿設され、上記ロッキングバー案内孔にはロッキングバーが摺動自在に挿入され、上記ロッキングバーは、上記ソレノイド装置への通電時に上記シリンダ部材の軸線から離れる方向に、該ソレノイド装置の可動鉄心に連結されるとともに、上記シリンダ部材の軸線に向けてスプリングにより付勢されており、上記シリンダ部材の外壁を軸線と交わる方向に貫通し、更に上記シリンダ部材が上記シリンダ挟持部材の最も手前に摺動した位置の上記シリンダ挟持部材にまで、ピン案内孔が穿設され、上記ピン案内孔には奥から順にピンとボールが挿入されて上記シリンダ部材の軸線へ向けてスプリングにより付勢されており、上記先金の円柱部が上記シリンダ部材に挿入されて該円柱部の縊れ部が上記ピン案内孔の位置に達した時、該縊れ部に上記ボールが進入し、該ボールと上記ピンとの接触面が上記シリンダ部材と上記シリンダ挟持部材との摺動面と一致することを特徴とする電気錠ユニットである。
【０００７】
したがって請求項２記載の発明では、ソレノイド装置への通電に伴う解錠と通電遮断時の施錠が更に確実になされるばかりでなく、先金を挿入せずに錠前のみを不正に施錠状態にすることが困難となるから、施解錠状態の確認・監視も更に確実に行なわれる。
【０００８】
次に請求項３記載の発明は、前記請求項２記載の発明において、上記ソレノイド装置の可動鉄心または上記ロッキングバーの位置を検出する手段が設けられたことを特徴とするものである。したがって請求項３記載の発明では、施解錠状態の確認・監視を容易かつ確実に行なうことができる。
【０００９】
また請求項４記載の発明は、前記請求項２記載の発明において、上記シリンダ部材の摺動位置を検出する手段が設けられたことを特徴とするものである。したがって請求項４記載の発明でも、施解錠状態の確認・監視を容易かつ確実に行なうことができる。
【００１０】
次に請求項５記載の発明は、前記請求項２記載の発明において、上記ソレノイド装置の可動鉄心と上記ロッキングバーとが、互いに逆方向に移動することを特徴とするものである。したがって請求項５記載の発明では、錠前に外部から作用する衝撃力によって可動鉄心やロッキングバーが移動して解錠される恐れが少ない。
【００１１】
また請求項６記載の発明は、前記請求項１または請求項２記載の発明において、上記先金が上記錠前に下方から挿入されることを特徴とするものである。したがって請求項６記載の発明では、遠隔操作による解錠が更に確実になされるばかりでなく、雨水等の侵入による錠前の故障や誤作動が防止される。
【００１２】
次に請求項７記載の発明は、前記請求項１または請求項２記載の発明において、上記可撓体が鎖であることを特徴とするものである。したがって、請求項７記載の発明では、手近な部材によってフェンス用の電気錠ユニットを実現することができる。
【００１３】
更に請求項８記載の発明は、前記請求項１または請求項２記載の発明において、上記可撓体がワイヤロープであることを特徴とするものである。したがって、請求項８記載の発明でも、手近な部材によってフェンス用の電気錠ユニットを実現することができる。
【００１４】
【発明の実施の形態】
図１は本発明の電気錠ユニットが適用されたフェンス開口部の一例を示す斜視図、図２は図１中の電気錠ユニットを取出して斜め下方から見た斜視図、図３は図２の三面図であって、（ａ）は正面図、（ｂ）は側面図、（ｃ）は下面図をそれぞれ示す。また図４は本発明の電気錠ユニットの一実施例における錠前を示す縦断正面図、図５は図４のＶ−Ｖ矢視平面図、図６は図４のＶＩ−ＶＩ矢視下面図である。
【００１５】
まず図１において、１は塀、柵等のフェンスであり、その開口部１ａに建具としての扉２が１対、開閉自在に取付けられている。これらの扉２は、枠体に網が張られた構造であるから、剛性が小さく、変形しやすい。そして、それら１対の扉２が閉じられる時に、その閉止部２ａを挟んで向き合う部分の一方に可撓体である鎖３によって先金４が取付けられ、他方には錠前６が取付けられている。
【００１６】
上記先金４は、図２および図３に示されるように、鎖３が結合される基部４ａと部分的に縊れた円柱状の円柱部４ｂとから成り、この円柱部４ｂが錠前６に下方から挿入されて、拘束されるようになっている。そして、錠前６に設けられたソレノイド装置（図１ないし図３には図示せず）に電線８を介して通電された時に、上記先金４が錠前６による拘束から解放されるようになっている。また錠前６には、シリンダ錠９が取付けられていて、このシリンダ錠９を所定のキーを用いて施解錠することによっても、先金４を拘束または解放することができる。
【００１７】
なお上記扉２には、人間の手を差入れることのできる開口２ｂが設けられていて、錠前６に先金４を挿入する動作やシリンダ錠９の施解錠操作を、扉２の内外いずれからでも行なうことができる。また鎖３の代りに、ワイヤロープ等の可撓性部材を用いることもできる。
【００１８】
次に図４、図５および図６において、１１は前記先金４の円柱部４ｂを下方から挿入することのできるシリンダ部材であって、軸線方向（図示例では鉛直方向）に摺動可能に、台板１０に取付けられたシリンダ挟持部材１２によって挟持されている。このシリンダ挟持部材１２には、シリンダ部材１１の軸線と直交する方向にロッキングバー案内孔１３が貫通しており、このロッキングバー案内孔１３は更に、シリンダ部材１１がシリンダ挟持部材１２の最奥部（最上部）まで摺動した位置（後出の図７参照）では、そのシリンダ部材１１にまで延長して穿設されている。
【００１９】
なお、本実施例においてシリンダ部材１１の摺動可能範囲は、図４に示されるようにシリンダ部材１１の段差部がシリンダ挟持部材１２の下面と一致する位置（最低位置）から、上記図７に示されるようにシリンダ部材１１の上面とシリンダ挟持部材１２の上面とが一致する位置（最高位置）までである。
【００２０】
上記ロッキングバー案内孔１３にはロッキングバー１４の一端部が摺動自在に挿入され、そのロッキングバー１４の他端部は、中央部を上記台板１０に軸支されたレバー１５の下端に枢着されている。そしてレバー１５の上端には、台板１０に取付けられたプランジャ型ソレノイド装置７の可動鉄心に直結されたロッド１６に枢着されている。したがってロッキングバー１４とロッド１６とは、互いに逆方向に移動する。そしてソレノイド装置７に通電された時、ロッキングバー１４がシリンダ部材１１の軸線から離れる方向に磁力を受けるようになっている。またロッキングバー１４は図示しないスプリングによって、シリンダ部材１１の軸線に近付く方向に付勢されている。なおロッキングバー１４の質量は、ソレノイド装置７の可動鉄心とそれに直結されたロッド１６との合計質量にほぼ等しくなっている。
【００２１】
またシリンダ部材１１の軸線方向２箇所の外壁を軸線と直交する方向にピン案内孔１７ａ、１７ｂが貫通している。これらピン案内孔１７ａ、１７ｂの軸線方向位置は、前記先金４の円柱部４ｂがシリンダ部材１１の最奥部まで挿入された時に、円柱部４ｂの縊れ部４ｃとその先の大径部がそれぞれ到達する位置である（後出の図７、図８、図１３参照）。このピン案内孔１７ａ、１７ｂは更に、シリンダ部材１１がシリンダ挟持部材１２の最も手前（最下部）まで摺動した位置（図４参照）では、そのシリンダ挟持部材１２にまで延長して穿設されている。
【００２２】
それらピン案内孔１７ａ、１７ｂには、奥から順にピン１８ａ、１８ｂとボール１９ａ、１９ｂがそれぞれ挿入されて、スプリング２０ａ、２０ｂにより、シリンダ部材１１の軸線に向けて付勢されている。またピン案内孔１７ａ、１７ｂがシリンダ部材１１内部に開口する端部は、若干小径になっていて、ボール１９ａ、１９ｂがシリンダ部材１１内部にこぼれ落ちるのを防止している。
【００２３】
上記ピン案内孔１７ａ、１７ｂ部のシリンダ部材１１肉厚は、先金４の円柱部４ｂがシリンダ部材１１に挿入されてボール１９ａが円柱部４ｂの縊れ部４ｃにはまり込み、ボール１９ｂがその先の大径部に接触している時に、ボール１９ａ、ボール１９ｂの最も外側の表面がシリンダ挟持部材１２の内面にちょうど接触するような寸法になっている（後出の図７参照）。換言すれば、ボール１９ａのはまり込んだ縊れ部４ｃがピン案内孔１７ａの位置に、その先の大径部がピン案内孔１７ｂの位置に、それぞれ達した時、ピン１８ａとボール１９ａ、ピン１８ｂとボール１９ｂの各接触面が、シリンダ部材１１とシリンダ挟持部材１２との摺動面と一致する（後出の図８、図１３参照）。
【００２４】
次に２３はロッキングバー検知装置、２４はシリンダ部材検知装置であって、いずれも台板１０に取付けられ、ロッキングバー１４の位置やシリンダ部材１１の状態を検出して、その信号を電線８を介して遠隔の管理場所へ送るようになっている。
【００２５】
また９ａはシリンダ錠９のシリンダカムであって、シリンダ錠９が解錠されると、後出の図８ないし図１０に示されるように傾斜して、ロッキングバー１４をシリンダ部材１１から引離すように作用する。
【００２６】
上記のような構造の錠前６全体が、ケース２６に収納される。
【００２７】
次に図７ないし図１３は上記実施例の作動順序を示す図であって、図７は施錠状態を示す図、図８は通電またはシリンダ錠９解錠により先金４の拘束が解除された状態を示す図、図９は錠前６から先金４が引き抜かれる過程を示す図、図１０は錠前６から先金４が引き抜かれた状態を示す図、図１１は通電が遮断され、扉２が開放されている状態を示す図、図１２は先金４が錠前６へ挿入される過程を示す図、図１３は先金４が更に奥に押し込まれる過程を示す図である。
【００２８】
まず図７に示される施錠状態では、ソレノイド装置７には通電されておらず、ロッキングバー１４はスプリングによってシリンダ部材１１の軸線に近付く方向（図の右方）へ付勢され、シリンダ部材１１に穿設されたロッキングバー案内孔１３にまで進入している。したがってシリンダ部材１１は図示の位置（シリンダ挟持部材１２の最奥部）に拘束されて、下方へ摺動することはできない。したがって円柱部４ｂの縊れ部４ｃにボール１９ａがはまり込んでいる先金４も下方へ抜け出ることはできない。すなわち鎖３に連結された先金４が錠前６内に拘束されて、フェンス１の開口部１ａの扉２は開かない。なお、この時シリンダ錠９も施錠状態にあって、シリンダカム９ａは立ったままである。
【００２９】
次に、ソレノイド装置７に通電すると、可動鉄心とそれに直結されたロッド１６は、スプリングの付勢力に抗して、磁力により図の右方へ引張られる。あるいはシリンダ錠９を所定のキーによって解錠した場合も、シリンダカム９ａが倒れてロッド１６を図の右方へ押しやる。そうすると、ロッド１６にレバー１５を介して連結されたロッキングバー１４は図の左方へ移動し、その先端（右端）がシリンダ部材１１に穿設されたロッキングバー案内孔１３から抜け出る。その結果、シリンダ部材１１は拘束を解かれるから、重力により下方へずり落ち、図８に示されるように、シリンダ挟持部材１２の最下部まで摺動する。この時、シリンダ部材１１とシリンダ挟持部材１２に設けられたピン案内孔１７ａ、１７ｂの軸線がいずれも一致するようになる。
【００３０】
ここで先金４が重力により更に下方へ落ちようとすると、シリンダ部材１１とシリンダ挟持部材１２に設けられたピン案内孔１７ａ、１７ｂの軸線が一致しているから、先金４の円柱部４ｂの縊れ部４ｃにはまり込んでいたボール１９ａが図９に示されるように、円柱部４ｂ最先端の大径部によってシリンダ挟持部材１２側のピン案内孔１７ａに押込まれ、円柱部４ｂはシリンダ部材１１から抜け落ちる。すなわち、図１０に示されるように、先金４は錠前６への拘束から解放される。こうしてフェンス１の開口部１ａの扉２（図１参照）を開くことができる。この時、ピン案内孔１７ｂでは、ピン１８ｂがスプリング２０ｂ（図４参照）により付勢されて、シリンダ部材１１とシリンダ挟持部材１２との摺動面に跨って位置しているから、シリンダ部材１１は図１０に示される最低位置に拘束される。
【００３１】
次にソレノイド装置７に対する通電を遮断するか、またはシリンダ錠９をキーで施錠してシリンダカム９ａを立てると、図１１に示されるように、ロッド１６を右方へ引張り、または押し付けていた力がなくなるから、ロッキングバー１４がスプリングにより付勢されて、図の右方へ移動する。しかしこの時、シリンダ部材１１はピン１８ｂによってシリンダ挟持部材１２の最下端に拘束されており、ロッキングバー１４はシリンダ部材１１のロッキングバー案内孔１３にまで進入することはできない。また先金４と錠前６とは分離されていて、フェンス１の開口部１ａの扉２は開閉自在である。
【００３２】
次にフェンス開口部１ａの扉２を閉止して、その状態に拘束する場合は、人手によって先金４の円柱部４ｂを錠前６のシリンダ部材１１に下から挿入する。この時シリンダ部材１１とシリンダ挟持部材１２に設けられたピン案内孔１７ａの軸線が一致しているから、図１２に示されるように、円柱部４ｂの最先端大径部によってボール１９ａ、ピン１８ａがシリンダ挟持部材１２側のピン案内孔１７ａ内に押込まれ、次いで、ピン１８ｂもシリンダ挟持部材１２側のピン案内孔１７ｂ内に押込まれて、図１３に示されるように、円柱部４ｂの先端がシリンダ部材１１の最奥部に達する。この時ピン１８ａ、１８ｂとボール１９ａ、１９ｂとの接触面がいずれもシリンダ部材１１とシリンダ挟持部材１２との摺動面に一致するので、シリンダ部材１１はシリンダ挟持部材１２内を摺動することができる。
【００３３】
そこで先金４を更に上方へ押込むと、シリンダ部材１１は先金４と一体になってシリンダ挟持部材１２の最高位置まで押上げられる。そうするとロッキングバー１４がスプリングの付勢力によりシリンダ部材１１に穿設されたロッキングバー案内孔１３にまで進入し、再び図７に示される施錠状態に戻る。
【００３４】
本実施例においては、２枚の扉２の一方に可撓体である鎖３によって先金４を取付け、他方に錠前６を取付けて、先金４を錠前６に挿入・拘束するので、建具である扉２が大きく変形する場合でも、確実に施錠することができる。
【００３５】
また錠前６に取付けられたソレノイド装置７に通電された時に、上記先金４が錠前６による拘束から解放されるので、遠隔操作により施・解錠することができる。
【００３６】
本実施例ではまた、先金４を錠前６の下方から挿入して拘束するので、解錠に際してはシリンダ部材１１や先金４の拘束解除が重力の作用する向きに行なわれ、遠隔操作による解錠が更に確実になるばかりでなく、雨水等の侵入による錠前６の故障や誤作動が防止される。
【００３７】
更に本実施例では、先金４を錠前６に拘束する部材であるロッキングバー１４とそれに連結されたソレノイド装置７の可動鉄心とが互いに逆方向に移動するように構成され、しかもそれら逆方向に動く部材の質量がほぼ等しくなるようにしたので、錠前６に外部から衝撃力が与えられても、それによって可動鉄心やロッキングバー１４が移動して解錠される恐れは少ない。
【００３８】
加えて本実施例では、ロッキングバー１４の位置やシリンダ部材１１の状態をロッキングバー検知装置２３とシリンダ部材検知装置２４で検出して、その信号を電線８により遠隔の管理場所へ送るので、施・解錠状態の確認・監視を容易かつ確実に行なうことができる。
【図面の簡単な説明】
【図１】図１は本発明の電気錠ユニットが適用されたフェンス開口部の一例を示す斜視図である。
【図２】図２は図１中の電気錠ユニットを取出して示す斜視図である。
【図３】図３は図２の三面図であって、（ａ）は正面図、（ｂ）は側面図、（ｃ）は下面図をそれぞれ示す。
【図４】図４は本発明の電気錠ユニットの一実施例における錠前を示す縦断正面図である。
【図５】図５は図４のＶ−Ｖ矢視平面図である。
【図６】図６は図４のＶＩ−ＶＩ矢視下面図である。
【図７】図７ないし図１３は上記実施例の作動順序を示す図であって、図７は施錠状態を示す図である。
【図８】図８は通電またはシリンダ錠の解錠により先金の拘束が解除された状態を示す図である。
【図９】図９は錠前から先金が引き抜かれる過程を示す図である。
【図１０】図１０は錠前から先金が引き抜かれた状態を示す図である。
【図１１】図１１は通電が遮断され、扉が開放されている状態を示す図である。
【図１２】図１２は先金が錠前へ挿入される過程を示す図である。
【図１３】図１３は先金が更に奥に押し込まれる過程を示す図である。
【符号の説明】
１…フェンス、１ａ…開口部、２…扉、２ａ…閉止部、２ｂ…開口、３…鎖、４…先金、４ａ…基部、４ｂ…円柱部、４ｃ…縊れ部、６…錠前、７…ソレノイド装置、８…電線、９…シリンダ錠、９ａ…シリンダカム、１０…台板、１１…シリンダ部材、１２…シリンダ挟持部材、１３…ロッキングバー案内孔、１４…ロッキングバー、１５…レバー、１６…ロッド、１７ａ，１７ｂ…ピン案内孔、１８ａ，１８ｂ…ピン、１９ａ，１９ｂ…ボール、２０ａ，２０ｂ…スプリング、２３…ロッキングバー検知装置、２４…シリンダ部材検知装置、２６…ケース。
【図１】
2004027653.tif 000003
【図２】
2004027653.tif 000004
【図３】
2004027653.tif 000005
【図４】
2004027653.tif 000006
【図５】
2004027653.tif 000007
【図６】
2004027653.tif 000008
【図７】
2004027653.tif 000009
【図８】
2004027653.tif 000010
【図９】
2004027653.tif 000011
【図１０】
2004027653.tif 000012
【図１１】
2004027653.tif 000013
【図１２】
2004027653.tif 000014
【図１３】
2004027653.tif 000015